(57)【特許請求の範囲】
【請求項１】
棚板上部に左右方向に延在するレール部を形成し、前方と上方が開口する箱状の収納体を前記レール部に摺動自在に設けた棚板上部の収納構造であって、前記収納体は樹脂で構成され、その底面及び背面の収納側には、底面が前後方向に、背面が上下方向に延びる連続した溝条が略前記両面全面に亘って形成され、前記溝条の適所に該溝条と係合可能な仕切り体を設け、前記底面に形成した各溝条に貫通孔が形成され、前記仕切り体の下端縁に形成した突出部が前記貫通孔に嵌入していることを特徴とする棚板上部の収納構造。
【請求項２】
前記レール部を複数のレールで構成した請求項１に記載の棚板上部の収納構造。
【請求項３】
前記収納体の前記レール部と対向する底面側に滑動体を止着した請求項１または２に記載の棚板上部の収納構造。
【請求項４】
前記レール部を前記棚板上部に複数形成した請求項１ないし３のいずれかに記載の棚板上部の収納構造。
【請求項５】
前記レール部に複数の収納体を配置した請求項１ないし４のいずれかに記載の棚板上部の収納構造。
【発明の詳細な説明】
【０００１】
【発明の属する技術分野】
本発明は、棚板上部に左右方向に延在するレール部を形成し、前方と上方が開口する箱状の収納体を前記レール部に摺動自在に設けた棚板上部の収納構造に関する。
【０００２】
【従来の技術】
キャビネットや本箱等の収納具に設けた棚板上部に、例えばＣＤディスクやフロッピーディスク等のマルチメデア類を収納するための収納体を摺動自在に設けた棚板上部の収納構造として、従来、図７に示したものが知られていた。
【０００３】
図７はキャビネットの棚上に収納体を２個摺動自在に載置した棚板上部の収納構造の部分斜視図であって、０１はキャビネット側板、０２は棚板であり、この棚板０２の上部に２個の樹脂製の収納体０３と０４がレール部０５及びレール部０６にそれぞれ摺動自在に載置されている。レール部０５，０６はいずれも２本のレール０５ａと０５ｂ及び０６ａと０６ｂで構成され、それぞれの収納体０３，０４の底面に形成したレール受け部０３ａ、０４ａと係合して摺動部を構成している。
【０００４】
収納体０３，０４は前方と上方が開口する箱状のケースであって、収納空間部に、例えばＣＤディスクやフロッピーディスク等のマルチメデア類を収納する。収納体０３は、予め決められた位置に取り付けた仕切り体０３ｂにより収納空間が仕切られ、収納空間が適宜分割されている。そして、この仕切り体０３ｂが収納体の数カ所の位置に取り付けられるように構成して、収納物の種類等に応じて使用者が利用しやすいようになったものも知られている。このように棚板０２上の空間に２列の収納体０３，０４を摺動自在に配置して、後列側の収納体０４も収納物を取り出し易くして小物類を効率よく収納している。
【０００５】
【発明が解決しようとする課題】
しかしながら、従来の収納構造体は、収納体の材質がプラスチックの如き樹脂製のものであると、少しの外力に対してもねじれが生じやすく、レール上を走行している収納体が収納物の積載重量の影響や、摺動時における収納体の移動方向がレールの長手方向に対するずれること等により、収納体にねじれ変形が生じてレール上を円滑に滑動しなくなることがあった。
【０００６】
また、仕切り体の位置に関しても、従来のものは、予め決められた位置にしか設置することができず、使用者が満足する仕分けが必ずしも実現されていたとは言えなかった。
【０００７】
本発明は、このような問題点に着目してなされたもので、樹脂製収納体のねじれ変形を極力抑え、収納体がレール上を円滑に滑動できるようにし、かつ使用者の希望する収容空間が得られるように任意の位置に仕切り体を設置可能な棚板上部の収納構造を提供することを目的とする。
【０００８】
【課題を解決するための手段】
上記課題を解決するために、本発明の棚板上部の収納構造は、棚板上部に左右方向に延在するレール部を形成し、前方と上方が開口する箱状の収納体を前記レール部に摺動自在に設けた棚板上部の収納構造であって、前記収納体は樹脂で構成され、その底面及び背面の収納側には、底面が前後方向に、背面が上下方向に延びる連続した溝条が略前記両面全面に亘って形成され、前記溝条の適所に該溝条と係合可能な仕切り体を設け、前記底面に形成した各溝条に貫通孔が形成され、前記仕切り体の下端縁に形成した突出部が前記貫通孔に嵌入していることを特徴としている。
この特徴によれば、底面及び後面に連続した溝条が全面に亘って形成されているから、収納体の剛性が高まり、小さな外力で収納体がすぐに変形することはなく、収納体がレール上を円滑に滑動できる、しかも溝条を利用して仕切り体を設置するから、収納空間の仕分けは容易に設定或いは変更できると共に、仕切り体をより安定して溝条に設置できる。
【００１０】
本発明の棚板上部の収納構造は、前記レール部を複数のレールで構成することが好ましい。
このようにすれば、収納体が複数のレールに沿って滑動できるから、その移動はより安定する。
【００１１】
本発明の棚板上部の収納構造は、前記収納体の前記レール部と対向する底面側に滑動体を止着することが好ましい。
このようにすれば、滑動体により収納体の滑りがより円滑になる。
【００１２】
本発明の棚板上部の収納構造は、前記レール部を前記棚板上部に複数形成することが好ましい。
このようにすれば、レール部が増え収納量が増大する。
【００１３】
本発明の棚板上部の収納構造は、前記レール部に複数の収納体を配置することが好ましい。
このようにすれば、棚板上部に取り出し及び収納に関し効率の良い収納空間が構築される。
【００１４】
【発明の実施の形態】
以下、本発明の実施例を図面に基づいて説明する。
【００１５】
図１は本発明が適用されるキャビネットの棚上に収納体を４個摺動自在に載置した棚板上部の収納構造の部分斜視図、図２は収納体の斜視図、図３（ａ）は収納体の平面図、（ｂ）はその側面図、（ｃ）はその背面斜視図、図４（ａ）は滑動体の底面図、（ｂ）はその正面図、図５は仕切り体の斜視図である。
【００１６】
図１において、１０はキャビネットの側板であり棚板１２を支持している。棚板１２の上部には２本のレール１４ａと１４ｂから成るレール部１４と、同じく２本のレール１６ａと１６ｂから成るレール部１６が配設されており、レール部１４には収納体１８と２０が、レール部１６には収納体２２と２４が摺動自在に装架されている。各収納体１８〜２４にはそれぞれ底面と背面に溝条１８ｃ〜２４ｃが設けられ、収納体内部は仕切り体２８が前記溝条の一つに嵌入されている。
【００１７】
図２に収納体２４の斜視図が示されており、この収納体２４は前方と上方が開口した箱状の樹脂製ケースであって、他の収納体１８，２０，２２と同じ構造であるが、仕切り体は装着されていないものが示されている。収納体２４の底面２４ａと背面２４ｂには連続した溝条２４ｃが底面及び背面全体に亘って狭い間隔で形成されいる。収納体２４の側板２５の底部にはレール１６ａ、１６ｂを受け入れる切欠き２５ａが形成されている。
【００１８】
収納体２４の詳細について図３により更に説明すると、図３（ｂ）には底面２４ａ及び背面２４ｂに形成されたリブ２４ｃ’の形状が示されており、溝条２４ｃは２つの突出したリブ２４ｃ’の間に挟まれた部分で構成されている。また、底面２４ａ上の各溝条２４ｃの一部には図３（ａ）と（ｃ）に示すように、底面を貫く貫通孔２４ｄが形成されいて、後述する仕切り体の嵌入部として機能する。従って、溝条２４ｃの幅は仕切り体が挿入され保持できる程度の長さを有している。一方、底面２４ａ上の溝条２４ｃのレール部１６ａ、１６ｂと対向する部分の４箇所には、図３（ａ）に示すように、１対の滑動体取付け孔２４ｅが形成されている。
【００１９】
滑動体２６は、図４に示すように１対の係止爪２６ａを有し、前述の収納体２４の１対の滑動体取付け孔２４ｅに係合する。また、滑動体２６の前記係止爪２６ａを挟んで対向する突起部２６ｂは、周囲がリブで形成された孔Ｐ（図３ｃ）に嵌合されて滑動体２６の抜けを防止している。滑動体２６の頭部２６ｃは、図１に示したレール１６ａ、１６ｂと対接している。本実施例においては、このように１本のレールに対して２個の滑動体２６が取り付けられているが、レールや滑動体の数は各種の変更が可能であり、例えば、１本のレール上に１個の滑動体を備えた収納体を摺動させるようにしたものであってもよい。
【００２０】
仕切り体２８は、図５に示すように収納体２４の底面２４ａと背面２４ｂに形成した溝条２４ｃ（図２）に挿入係止される仕切り本体２８ａと、収納体２４の底面２４ａを貫く貫通孔２４ｄに嵌合する下端縁に形成した突出部２８ｂとで構成されている。
この仕切り体２８は溝条２４ｃのどれにも挿入係合させることができるので、収納空間の仕分けは容易に設定或いは変更できる。
【００２１】
図６は２つのレール部３０，３２に５つの収納体３４，３５，３６．３７及び３８を摺動自在に装架した棚板上部の収納構造の使用例を示した図であり、（ａ）は平面図、（ｂ）は側面図である。収納体３４，３５はレール部３０に、収納体３６，３７，３８はレール部３２にそれぞれ摺動自在に装架され、図６（ｂ）に示されているように、収納体３５，３８（残りの収納体についても同じである。）の底部切り欠３５ｃ、３８ｃはＬ字状レール３０ａ、３０ｂ、３２ａ、３２ｂの突出部３０ａ’，３０ｂ’，３２ａ’，３２ｂ’を受け入れている。前列にある収納体３４，３５は収納物をすぐに取り出せるが、後列に配置されている収納体３６，３７，３８は前列の収納体３４，３５を適宜摺動させて、後列の取り出し空間を作って取り出すようにする。
【００２２】
以上述べたように本実施例では、２本のレール部に５つの収納体を載せた例を示したが、取り出し可能な配列であれば、レール部の数やレール部に載せる収納体の数には特段の制限はない。また、キャビネット内の棚板上部の収納構造について述べたが、本発明でいう棚板とは、キャビネット用に限らず、本箱の棚板とか天板、あるいは机の天板の如き物を乗せる載置板部分であれば全て含むものである。
【００２３】
このように本発明は、収納体の底面及び背面には多数の溝条が形成されているので、収納体自身の剛性が増し、外力に対するねじれ変更が抑制され、収納体の円滑な摺動が確保されるとともに、任意の位置に仕切り体を設置できる。
【００２４】
【発明の効果】
本発明は以下の効果を奏する。
【００２５】
（ａ）請求項１項の発明によれば、底面及び後面に連続した溝条が全面に亘って形成されているから、収納体の剛性が高まり、小さな外力で収納体がすぐに変形することはなく、収納体がレール上を円滑に滑動できる、しかも溝条を利用して仕切り体を設置するから、収納空間の仕分けは容易に設定或いは変更できると共に、仕切り体をより安定して溝条に設置できる。
【００２７】
（ｂ）請求項２項の発明によれば、収納体が複数のレールに沿って滑動できるから、その移動はより安定する。
【００２８】
（ｃ）請求項３項の発明によれば、滑動体により収納体の滑りがより円滑になる。
【００２９】
（ｄ）請求項４項の発明によれば、レール部が増え収納量が増大する。
【００３０】
（ｅ）請求項５項の発明によれば、棚板上部に取り出し及び収納に関し効率の良い収納空間が構築される。
【図面の簡単な説明】
【図１】本発明が適用されるキャビネットの棚板上部の収納構造の部分斜視図である。
【図２】本発明の収納体の斜視図である。
【図３】（ａ）は本発明の収納体の平面図、（ｂ）はその側面図、（ｃ）はその背面斜視図である。
【図４】（ａ）は本発明の滑動体の底面図、（ｂ）は図（ａ）のＡ−Ａ断面図である。
【図５】本発明の仕切り体の斜視図である。
【図６】２つのレール部に５つの収納体を摺動自在に装架した棚板上部の収納構造の使用例を示した図であり、（ａ）は平面図、（ｂ）は側面図である。
【図７】キャビネットの棚上に収納体を２個摺動自在に載置した従来の棚板上部の収納構造の部分斜視図である。
【符号の説明】
１０                      キャビネット
１２                      天板
１４                      レール部
１４ａ，１４ｂ            レール
１６                      レール部
１６ａ，１６ｂ            レール
１８，２０，２２          収納体
１８ｃ〜２４ｃ            溝条
２４                      収納体
２４ａ                    底面
２４ｂ                    背面
２４ｃ                    溝条
２４ｃ’                  リブ
２４ｄ                    貫通孔
２４ｅ                    滑動体取付け孔
２５                      側板
２５ａ                    切欠き
２６                      滑動体
２６ａ                    係止爪
２６ｂ                    突起部
２６ｃ                    頭部
２８                      仕切り体
２８ａ                    本体
２８ｂ                    突出部
３０                      レール部
３０ａ，３０ｂ            Ｌ字状レール
３０ａ’，３０ｂ’          突出部
３２                      レール部
３２ａ，３２ｂ            Ｌ字状レール
３２ａ’，３２ｂ’          突出部
３４，３５，３６，        収納体
３７，３８
３５ｃ、３８ｃ            底部切欠き
【図１】
0004647125.tif 000002
【図２】
0004647125.tif 000003
【図３】
0004647125.tif 000004
【図４】
0004647125.tif 000005
【図５】
0004647125.tif 000006
【図６】
0004647125.tif 000007
【図７】
0004647125.tif 000008